【手続補正書】
【提出日】平成18年10月5日(2006.10.5)
【手続補正１】
【補正対象書類名】特許請求の範囲
【補正対象項目名】全文
【補正方法】変更
【補正の内容】
【特許請求の範囲】
【請求項１】
ウレア／ウレタンポリマーでコーティングされた製造物品であって、
（ａ）テトラヒドロフラン並びに、アルキレンオキシド及び環状アセタールのいずれかまたは双方と、から調製されるヒドロキシ末端コポリマーから誘導される繰り返し単位、並びに
（ｂ）ポリイソシアネートから誘導される繰り返し単位；
を含み、
前記ウレア／ウレタンポリマーには、式−Ｒ−Ｎ（Ｒ２）−Ｃ（Ｏ）−Ｎ（Ｒ２）−Ｒ１−で表されるウレア単位を約２モルパーセント未満で含み；
Ｒは芳香族炭化水素基であり、Ｒ１は脂肪族炭化水素基であり、そしてＲ２はＨ、または式−Ｃ（Ｏ）−Ｎ（Ｒ２）−Ｒ−で表されるアミド基であり；そして
前記テトラヒドロフランは次式で表され、
【化１】
2006506475.tif 000001
ここで、Ｒ４の内のいずれか１つはＣ１〜Ｃ４アルキル基であり、残りのＲ４は水素であることを特徴とする、物品。
【請求項２】
アイオノマー性ウレア／ウレタンポリマーによりコーティングされた製造物品であって、
（ａ）約７００〜約１５００の分子量を有する脂肪族ポリエーテルポリオールから誘導される繰り返し単位、および
（ｂ）ポリイソシアネートから誘導される繰り返し単位、
を含み、
前記ウレア／ウレタンポリマーには、式Ｒ−Ｎ（Ｒ２）−Ｃ（Ｏ）−Ｎ（Ｒ２）−Ｒ１−で表されるウレア単位を約２モルパーセント未満で含み；
Ｒは芳香族のＣ６〜Ｃ２０炭化水素基であり、Ｒ１は脂肪族のＣ１〜Ｃ２０炭化水素基であり、そしてＲ２はＨ、または式−Ｃ（Ｏ）−Ｎ（Ｒ２）−Ｒ−で表されるアミド基であることを特徴とする、物品。
【請求項３】
アイオノマー性ウレア／ウレタンポリマーによりコーティングされた製造物品であって、
（ａ）脂肪族ポリエステルポリオールから誘導される繰り返し単位、および
（ｂ）ポリイソシアネートから誘導される繰り返し単位、
を含み、
前記ウレア／ウレタンポリマーには、式−Ｒ−Ｎ（Ｒ２）−Ｃ（Ｏ）−Ｎ（Ｒ２）−Ｒ１−で表されるウレア単位を約２モルパーセント未満で含み、
ＲはＣ６〜Ｃ２０の芳香族炭化水素基であり、Ｒ１はＣ１〜Ｃ２０の脂肪族炭化水素基であり、そしてＲ２はＨ、または式Ｃ（Ｏ）−Ｎ（Ｒ２）−Ｒ−で表されるアミド基であることを特徴とする、物品。
【手続補正２】
【補正対象書類名】明細書
【補正対象項目名】００１７
【補正方法】変更
【補正の内容】
【００１７】
【化２】
2006506475.tif 000002
【手続補正３】
【補正対象書類名】明細書
【補正対象項目名】００２９
【補正方法】変更
【補正の内容】
【００２９】
【化３】
2006506475.tif 000003
【手続補正４】
【補正対象書類名】明細書
【補正対象項目名】００７４
【補正方法】変更
【補正の内容】
【００７４】
本発明のポリ（ウレア／ウレタン）、特にエチレンオキシドとテトラヒドロフランのグリコールコポリマーから製造されたものは、望ましい水に対する高い親和性を有していることは知られている。このことは、本発明のポリ（ウレア／ウレタン）、特にソフトセグメントとしてコポリマーグリコールを含むものは、高い水溶性を有していることを示唆している。透過性というのは、溶解性と拡散性の関数となるので、水蒸気の透過性が、本発明のポリ（ウレア／ウレタン）を用いて製造したコーティングでは望ましいレベルに高くなることが予想され、また、コポリマーグリコールから調製したポリ（ウレア／ウレタン）では、他のホモポリマー性のポリエーテルポリオールから調製したものよりも、さらに高くなるであろう。
以下に本明細書に開示される好ましい態様を列記する。
１．  ウレア／ウレタンポリマーでコーティングされた製造物品であって、
（ａ）テトラヒドロフラン並びに、アルキレンオキシド及び環状アセタールのいずれかまたは双方と、から調製されるヒドロキシ末端コポリマーから誘導される繰り返し単位、並びに
（ｂ）ポリイソシアネートから誘導される繰り返し単位；
を含み、
前記ウレア／ウレタンポリマーには、式−Ｒ−Ｎ（Ｒ２）−Ｃ（Ｏ）−Ｎ（Ｒ２）−Ｒ１−で表されるウレア単位を約２モルパーセント未満で含み；
Ｒは芳香族炭化水素基であり、Ｒ１は脂肪族炭化水素基であり、そしてＲ２はＨ、または式−Ｃ（Ｏ）−Ｎ（Ｒ２）−Ｒ−で表されるアミド基であり；そして
前記テトラヒドロフランは次式で表され、
【化４】
2006506475.tif 000004
ここで、Ｒ４の内のいずれか１つはＣ１〜Ｃ４アルキル基であり、残りのＲ４は水素であることを特徴とする、物品。
２．  前記ポリイソシアネートが、トルエンジイソシアネート、メチレンジフェニルジイソシアネートおよびポリメチレンポリフェニルイソシアネートからなる群より選択されることを特徴とする、前記１．に記載の物品。
３．  前記アルキレンオキシドが、１，２−プロピレンオキシドおよびエチレンオキシドからなる群より選択されることを特徴とする、前記１．に記載の物品。
４．  前記アルキレンオキシドがエチレンオキシドであることを特徴とする、前記１．に記載の物品。
５．  前記テトラヒドロフランにおけるそれぞれのＲ４が水素であることを特徴とする、前記１．に記載の物品。
６．  前記テトラヒドロフランにおけるそれぞれのＲ４が水素であり、前記ヒドロキシ末端コポリマーがアルキレンオキシドから調製され、前記アルキレンオキシドがエチレンオキシドであることを特徴とする、前記１．に記載の物品。
７．  前記ウレア／ウレタンポリマーが、約１モルパーセント未満の前記記載のウレア単位を含むことを特徴とする、前記１．に記載の物品。
８．  前記ウレタンポリマーが、イオン性の化合物または潜在的にイオン性の化合物から誘導される繰り返し単位をさらに含むことを特徴とする、前記１．に記載の物品。
９．  前記コーティングが、請求項１に記載のウレア／ウレタンポリマーの水性分散体と界面活性剤とから調製されることを特徴とする、前記１．に記載の物品。
１０．  アイオノマー性ウレア／ウレタンポリマーによりコーティングされた製造物品であって、
（ａ）約７００〜約１５００の分子量を有する脂肪族ポリエーテルポリオールから誘導される繰り返し単位、および
（ｂ）ポリイソシアネートから誘導される繰り返し単位、
を含み、
前記ウレア／ウレタンポリマーには、式Ｒ−Ｎ（Ｒ２）−Ｃ（Ｏ）−Ｎ（Ｒ２）−Ｒ１−で表されるウレア単位を約２モルパーセント未満で含み；
Ｒは芳香族のＣ６〜Ｃ２０炭化水素基であり、Ｒ１は脂肪族のＣ１〜Ｃ２０炭化水素基であり、そしてＲ２はＨ、または式−Ｃ（Ｏ）−Ｎ（Ｒ２）−Ｒ−で表されるアミド基であることを特徴とする、物品。
１１．  イオン性の化合物または潜在的にイオン性の化合物から誘導される繰り返し単位を含むことを特徴とする、前記１０．に記載の物品。
１２．  前記イオン性の化合物または潜在的にイオン性の化合物が、一般式（ＨＯ）ｘＲ７（ＣＯＯＨ）ｙのヒドロキシ−カルボン酸を含み、Ｒ７は、１〜１２個の炭素原子を含む直鎖状または分岐状の炭化水素基を表し、ｘおよびｙはそれぞれ独立して、１〜３の数を表すことを特徴とする、前記１１．に記載の物品。
１３．  前記イオン性の化合物または潜在的にイオン性の化合物が、２，２’−ジメタノールプロピオン酸を含むことを特徴とする、前記１１．に記載の物品。
１４．  前記ポリイソシアネートが、トルエンジイソシアネート、メチレンジフェニルジイソシアネートおよびポリメチレンポリフェニルイソシアネートからなる群より選択されることを特徴とする、前記１０．に記載の物品。
１５．  前記ポリエーテルポリオールが式ＨＯ−［（ＣＲ５Ｈ）ｍ−Ｏ−］ｎ−Ｈで表され、Ｒ５は水素、ハロゲン、またはＣ１〜Ｃ４アルキル基であり；ｍは３または４であり；そしてｎは約８〜約２０の範囲であることを特徴とする、前記１０．に記載の物品。
１６．  Ｒ５が水素であることを特徴とする、前記１５．に記載の物品。
１７．  前記ポリエーテルポリオールが、約９００〜約１１５０の範囲の分子量を有することを特徴とする、前記１０．に記載の物品。
１８．  前記ウレア／ウレタンポリマーが、約１モルパーセント未満の前記記載のウレア単位を含むことを特徴とする、前記１０．に記載の物品。
１９．  前記コーティングが、請求項１０に記載のウレア／ウレタンポリマーの水性分散体と界面活性剤とから調製されることを特徴とする、前記１０．に記載の物品。
２０．  アイオノマー性ウレア／ウレタンポリマーによりコーティングされた製造物品であって、
（ａ）脂肪族ポリエステルポリオールから誘導される繰り返し単位、および
（ｂ）ポリイソシアネートから誘導される繰り返し単位、
を含み、
前記ウレア／ウレタンポリマーには、式−Ｒ−Ｎ（Ｒ２）−Ｃ（Ｏ）−Ｎ（Ｒ２）−Ｒ１−で表されるウレア単位を約２モルパーセント未満で含み、
ＲはＣ６〜Ｃ２０の芳香族炭化水素基であり、Ｒ１はＣ１〜Ｃ２０の脂肪族炭化水素基であり、そしてＲ２はＨ、または式Ｃ（Ｏ）−Ｎ（Ｒ２）−Ｒ−で表されるアミド基であることを特徴とする、物品。
２１．  イオン性の化合物または潜在的にイオン性の化合物から誘導される繰り返し単位を含むことを特徴とする、前記２０．に記載の物品。
２２．  前記イオン性の化合物または潜在的にイオン性の化合物が、一般式（ＨＯ）ｘＲ７（ＣＯＯＨ）ｙのヒドロキシ−カルボン酸を含み、Ｒ７は、１〜１２個の炭素原子を含む直鎖状または分岐状の炭化水素基を表し、ｘおよびｙはそれぞれ独立して、１〜３の数を表すことを特徴とする、前記２１．に記載の物品。
２３．  前記イオン性の化合物または潜在的にイオン性の化合物が、２，２’−ジメタノールプロピオン酸を含むことを特徴とする、前記２１．に記載の物品。
２４．  前記ポリイソシアネートが、トルエンジイソシアネート、メチレンジフェニルジイソシアネートおよびポリメチレンポリフェニルイソシアネートからなる群より選択されることを特徴とする、前記２０．に記載の物品。
２５．  前記ポリエステルポリオールが、エチレンアジペート、ブチレンアジペート、エチレン／ブチレンアジペート、およびそれらの混合物からなる群より選択される、ジヒドロキシ末端ポリマーであることを特徴とする、前記２０．に記載の物品。
２６．  前記ウレア／ウレタンポリマーが、約１モルパーセント未満の前記記載のウレア単位を含むことを特徴とする、前記２０．に記載の物品。
２７．  前記コーティングが、請求項２０に記載のウレア／ウレタンポリマーの水性分散体と界面活性剤とから調製されることを特徴とする、前記２０．に記載の物品。
２８．  前記物品が多孔質基材であることを特徴とする、前記１．、１０．および２０．に記載の物品。
２９．  前記物品が織物（ｆａｂｒｉｃ）または布地（ｔｅｘｔｉｌｅ）であることを特徴とする、前記１．、１０．および２０．に記載の物品。
３０．  前記織物または布地がパラアラミドポリマーを含むことを特徴とする、前記２９．に記載の物品。
３１．  前記物品が手袋であることを特徴とする、前記１．、１０．および２０．に記載の物品。